(57)【特許請求の範囲】
【請求項１】
電源装置と、前記電源装置に接続して浴槽内の溶液に通電する第１電極と、前記電源装置に接続して人体に通電する電極ユニットとを備える浴用通電装置であって、
前記電極ユニットは、
前記溶液を該吸盤の内側に流入させた状態で人体に吸着する吸盤と、
前記吸盤の内側に位置する前記電源装置に接続する第２電極と、
前記第２電極と人体との間に位置して、前記第２電極を人体から離隔した位置に配置するスペーサであって、前記第２電極が前記スペーサより前記吸盤内の底側に位置し、かつ、吸盤内の内側の前記溶液が流入することにより前記第２電極から人体への通電を許容する孔が形成されたスペーサと、を備える
ことを特徴とする浴用通電装置。
【請求項２】
請求項１に記載の浴用通電装置において、
前記スペーサには、前記第２電極を挟み込んで保持する凹部が形成されていることを特徴とする浴用通電装置。
【請求項３】
請求項１または請求項２に記載の浴用通電装置において、
前記吸盤は、可撓性を有することを特徴とする浴用通電装置。
【請求項４】
請求項１から請求項３のいずれかに記載の浴用通電装置において、
前記吸盤の開口部の縁には、外側に曲がって延びる拡開部が設けられていることを特徴とする浴用通電装置。
【請求項５】
請求項１から請求項４のいずれかに記載の浴用通電装置において、
前記スペーサは、絶縁性を有することを特徴とする浴用通電装置。
【請求項６】
溶液を収容する浴槽に入った人体部分に取り付けられ、人体に対し通電する電極ユニットであって、
前記溶液を該吸盤の内側に流入させた状態で人体に吸着する吸盤と、
前記吸盤の内側に位置する第２電極と、
前記第２電極と人体との間に位置して、前記第２電極を人体から離隔した位置に配置するスペーサであって、前記第２電極が前記スペーサより前記吸盤内の底側に位置し、かつ、吸盤内の内側の前記溶液が流入することにより前記第２電極から人体への通電を許容する孔が形成されたスペーサと、を備えることを特徴とする電極ユニット。
【発明の詳細な説明】
【技術分野】
【０００１】
本発明は、浴用通電装置および電極ユニットに関する。
【背景技術】
【０００２】
従来、入浴剤が溶けた浴槽内の湯に導入電極により通電するとともに、前記導入電極と反対の極性の電極ユニットにより人体に通電することにより、入浴剤中の有効性分を人体に吸収させる浴用通電装置が知られる（例えば、特許文献１）。
【０００３】
特許文献１に記載の浴用通電装置は、電極ユニットは、腕に巻き付けられる装着板と、装着板の内側に設けられて内部が真空となる状態で腕に吸着する吸着盤と、吸着盤の内面に貼り付けられ、人体に接触した状態で通電する対極電極とを備える。
【先行技術文献】
【特許文献】
【０００４】
【特許文献１】特開２００６−２２３３６５号公報
【発明の概要】
【発明が解決しようとする課題】
【０００５】
特許文献１に記載の浴用通電装置では、対極電極が人体に接触した状態で人体に通電するため、刺激感があるという問題がある。また、電極ユニットを取り付けるために人体に装着板を巻き付ける必要があり、電極ユニットの取り付けが煩わしいという問題がある。また、装着板を巻き付けることができる部位にしか電極ユニットを取り付けることができず不便であるという問題がある。
【０００６】
本発明は、通電による刺激感を軽減でき、かつ電極ユニットを容易に取り付けることができるとともに、電極ユニットの取付位置の自由度を高めることができる浴用通電装置および電極ユニットを提供することを目的とする。
【課題を解決するための手段】
【０００７】
（１）上記課題を解決するために、本願発明に係る浴用通電装置は、電源装置と、前記電源装置に接続して浴槽内の溶液に通電する第１電極と、前記電源装置に接続して人体に通電する電極ユニットとを備える浴用通電装置であって、前記電極ユニットは、前記溶液を該吸盤の内側に流入させた状態で人体に吸着する吸盤と、前記吸盤の内側に位置する前記電源装置に接続する第２電極と、前記第２電極と人体との間に位置して、前記第２電極を人体から離隔した位置に配置するスペーサであって、前記第２電極が前記スペーサより前記吸盤内の底側に位置し、かつ、吸盤内の内側の前記溶液が流入することにより前記第２電極から人体への通電を許容する孔が形成されたスペーサと、を備える。
【０００８】
（２）上記（１）の構成において、前記スペーサには、前記第２電極を挟み込んで保持する凹部を形成してもよい。
【０００９】
（３）上記（１）または（２）の構成において、前記吸盤は、可撓性を有してもよい。
【００１０】
（４）上記（１）〜（３）のいずれかの構成において、前記吸盤の開口部の縁には、外側に曲がって延びる拡開部が設けられていてもよい。
【００１１】
（５）上記（１）〜（４）のいずれかの構成において、前記スペーサは、絶縁性を有していてもよい。
【００１２】
（６）上記課題を解決するために、本願発明に係る電極ユニットは、溶液を収容する浴槽に入った人体部分に取り付けられ、人体に対し通電する電極ユニットであって、前記溶液を該吸盤の内側に流入させた状態で人体に吸着する吸盤と、前記吸盤の内側に位置する第２電極と、前記第２電極と人体との間に位置して、前記第２電極を人体から離隔した位置に配置するスペーサであって、前記第２電極が前記スペーサより前記吸盤内の底側に位置し、かつ、吸盤内の内側の前記溶液が流入することにより前記第２電極から人体への通電を許容する孔が形成されたスペーサと、を備える。
【発明の効果】
【００１３】
本願発明によれば、通電による刺激感を軽減でき、かつ電極ユニットを容易に取り付けることができるとともに、電極ユニットの取付位置の自由度を高めることができる浴用通電装置および電極ユニットを提供できる。
【図面の簡単な説明】
【００１４】
【図１】浴用通電装置の全体図である。
【図２】使用時の浴用通電装置を示す図である。
【図３】電極ユニットの斜視図である。
【図４】電極ユニットの分解斜視図である。
【図５】吸盤の断面図を示す図である。
【図６】吸盤の孔の変形例を示す図である。
【図７】電極ユニットの人体腰部分への取り付け方法を説明するための図であり、（Ａ）は、電極ユニットの取り付け前の状態を示す図であり、（Ｂ）は、電極ユニットの人体への取り付け時の状態を示す図である。
【発明を実施するための形態】
【００１５】
以下、本発明の実施形態について、図面を参照しながら説明する。図１は、浴用通電装置１００の全体図である。浴用通電装置１００は、電源装置１と、電源装置１に接続して浴槽２０１（図２参照）内のイオン化溶液２０２に通電する導入電極２と、電源装置１に接続して人体に通電する電極ユニット３とを備える。
【００１６】
電源装置１は、スイッチ１１を備える。電源装置１において図１の底面１２には導入電極２（第１電極）が設けられている。この導入電極２は、複数の弧状電極を同一円上に間欠的に配列することにより構成されている。底面１２のうち導入電極２に包囲された領域には電極ユニット３のコード３１の第１端部３１１が接続する。図１に図示する点線は、電源装置１をイオン化溶液に投下した際の液面レベルを示しており、電源装置１は、浮力により、底面１２に設けられた導入電極２がイオン化溶液２０２に沈んだ状態で浮かぶようになっている（図２参照）。電源装置１は、プラス極性の複数のパルス信号（以下、複数のパルス信号（パルス電圧）を群発パルス信号と記載）と、マイナス極性の群発パルス信号とを交互に導入電極２および電極ユニット３に出力する。各導入電極２および電極ユニット３には、それぞれ反対の極性の群発パルス信号が同時に出力される。
【００１７】
図２は、浴用通電装置１００の使用状態を示す図面である。浴用通電装置１００は、浴槽２０１内のイオン化溶液２０２に導入電極２が沈んだ状態となる姿勢で電源装置１がイオン化溶液２０２に浮かべられるとともに、人体の例えば腰のあたりに電極ユニット３が取り付けられた状態で使用される。イオン化溶液２０２は、浴槽２０１内の湯に入浴剤が溶けたものであり、プラスにイオン化される有効成分（例えばカルシウム）と、マイナスにイオン化される有効成分（例えばビタミンＣ）とが含まれる。
【００１８】
電源装置１がイオン化溶液２０２に浮かべられるとともに、電極ユニット３が人体に取り付けられた状態で、電源装置１のスイッチ１１がＯＮされると、電源装置１から導入電極２および電極ユニット３にプラス極性の群発パルス信号とマイナス極性の群発パルス信号とが交互に出力される。パルス信号は、例えばデューティー比が５０％で、出力周波数が４８００ＨＺに設定される。導入電極２および電極ユニット３に出力されるパルス信号における極性の切り替え周期は例えば３．０secであり、出力電圧は７Ｖに設定される。
【００１９】
導入電極２にプラス極性の群発パルス信号が出力されると、イオン化溶液２０２に含まれるプラスイオン化成分は、同極であるプラス極の導入電極２に反発する。この際、電極ユニット３にはマイナス極性の群発パルス信号が出力されており、人体はマイナスの極性を帯びる。そのため、イオン化溶液２０２中のプラスイオン化成分は、人体に引き寄せられ、人体内に導入される。これとは反対に、導入電極２にマイナス極性の群発パルス信号が出力される場合には、イオン化溶液２０２に含まれるマイナスイオン化成分は、導入電極２に反発し、プラスの極性を帯びる人体に引き寄せられて人体内に導入されることとなる。
【００２０】
このように、浴用通電装置１００は、導入電極２および電極ユニット３にプラス極性の群発パルス信号とマイナス極性の群発パルス信号とを交互に出力することにより、イオン化溶液２０２中に含まれるプラスイオン化成分とマイナスイオン化成分とを効率よく人体に導入することができる。なお、イオン化溶液２０２は、プラスおよびマイナスイオン化成分のいずれか一方のイオン化成分しか含まなくてもよい。その場合でも、浴用通電装置１００は、導入電極２および電極ユニット３に出力する群発パルス信号の極性をプラス極性およびマイナス極性に交互に切り替えるので、イオン化成分の極性がプラスまたはマイナスであっても、該イオン化成分を人体に導入することができる。
【００２１】
図３は、電極ユニット３の斜視図であり、図４は、電極ユニット３の分解斜視図である。電極ユニット３は、人体に取り付けられ、人体に対して通電する。電極ユニット３は、コード３１、プラグ３２、吸盤３３、対極電極３４（第２電極）、およびスペーサ３５を備える。コード３１の図３中右側の第１端部３１１（図１）は電源装置１に接続し、コード３１の図３中左側の第２端部３１２はプラグ３２に接続する。
【００２２】
吸盤３３は、底面部３３１と、底面部３３１から湾曲かつ拡開する皿部３３２とを備えたお椀形状に形成されている。吸盤３３は、可撓性を有する。吸盤３３は、シリコンゴム、エストラマなどのゴム製であってもよい。底面部３３１には、コード３１の第２端部３１２を内部に収容する収容部３３３が吸盤３３外方に向けて突設されている。収容部３３３には、コード３１を通す孔部３３４が設けられている。
【００２３】
図５は、電極ユニット３の断面図である。吸盤３３の縁には、吸盤３３外側に曲がって延びる拡開部３３５が設けられており、これにより、吸盤３３の縁部分の内面側は曲面状とされている。吸盤３３の径方向の長さＬが６０ｍｍの場合、拡開部３３５の丸みＲは０．２５ｍｍに設定される。
【００２４】
図４に戻って、対極電極３４は、円板状であり、中央に孔３４１がある。プラグ３２の先端部３２１がこの孔３４１に通された後潰されて外側に開くことにより、対極電極３４はプラグ３２に取り付けられる。対極電極３４は、吸盤３３の底部分に配置される。対極電極３４には、プラグ３２およびコード３１を通して電源装置１から群発パルス信号が出力される。
【００２５】
スペーサ３５は、シリコンゴムやエストラマからなるゴム製である。スペーサ３５は、円板状のスペーサ部３５１と、円板状のスペーサ部３５１の縁に沿って立ち上がり、内側に溝が形成された溝部３５２とを備える。スペーサ部３５１には、周方向に延びる複数の孔３５３が形成されている。なお、スペーサ３５には、図６に示すように、丸穴状の孔３５３Ａが形成されていてもよい。スペーサ３５は、溝部３５２に対極電極３４の縁が嵌め込まれることにより、対極電極３４を被覆する（図５）。
【００２６】
以下、電極ユニット３の人体腰部分への取り付け方法について。図７を参照しながら説明する。まず、吸盤３３を裏返した図７（Ａ）の状態で、浴槽２０１のイオン化溶液２０２内に投入する。そして、図７（Ｂ）に示すように、イオン化溶液２０２内に入った人体の腰部分にスペーサ３５を当接させた状態で吸盤３３をひっくり返す。このようにして潰された状態の吸盤３３は、吸盤３３内部を密封したまま復元力により元の形状に復帰しようとする。そのため、吸盤３３は、吸盤３３内外のイオン化溶液２０２の圧力差により、イオン化溶液２０２が内部に満たされた状態で人体腰部分に吸着することとなる。この際、対極電極３４を被覆するスペーサ部３５１における孔３５３の内部は、吸盤３３内のイオン化溶液２０２に満たされる。本実施形態では、この状態で対極電極３４に群発パルス信号が出力されるので、対極電極３４は、スペーサ部３５１の孔３５３内のイオン化溶液２０２を介して人体に通電することとなる。
【００２７】
このように、本実施形態では、イオン化溶液２０２を介して、対極電極３４から人体へ通電するので、無刺激で通電できる。また、人体に吸着する吸盤３３を用いて電極ユニット３を人体に取り付けるので、電極ユニット３を人体に巻き付けるために従来用いられていた装着板を不要にでき、電極ユニット３の人体への取り付けを容易にできる。また、吸盤３３により電極ユニット３を人体に取り付けるので、装着板を巻き付けることのできない部位にも電極ユニット３を取り付けることができ、電極ユニット３の人体への取付位置の自由度を高めることができる。
【００２８】
また、本実施形態では、電極ユニット３を人体の腰部分に取り付けるので、全身へほぼ均一に通電できる。なお、電極ユニット３は、内部にイオン化溶液２０２を含んだ状態で取り付けるならば、人体のどの部位に取り付けてもよい。また、本実施形態では、吸盤３３がゴム製なので、吸盤３３が柔らかく、シール性が良好である。そのため、丸みを帯びた人体の部位に対しても、良好に取り付けることができる。
【００２９】
さらに本実施形態では、吸盤３３の縁には、吸盤３３外側に曲がって延びる拡開部３３５が設けられており、これにより、吸盤３３の縁部分の内面側は曲面状とされている。そのため、本実施形態では、人体に接する吸盤３３縁部分の内面側が鋭角状とされている場合に比べ、浴用通電装置１００の使用後に吸盤３３の跡が人体に残ることを抑制できる。
【符号の説明】
【００３０】
１  電源装置
２  第１電極（導入電極）
３  電極ユニット
３３  吸盤
３４  第２電極（対極電極）
３５  スペーサ
１００  浴用通電装置
３５３  スペーサの孔
３３５  拡開部
【図１】
0005706288.tif 000002
【図２】
0005706288.tif 000003
【図３】
0005706288.tif 000004
【図４】
0005706288.tif 000005
【図５】
0005706288.tif 000006
【図６】
0005706288.tif 000007
【図７】
0005706288.tif 000008